(57)【要約】      （修正有）【課題】マイクロスイッチ内の各端子の絶縁を確保でき、各端子の電気的導通を防止できるマイクロスイッチを提供する。【解決手段】蓋１０が設けられ、蓋に上下動可能な押圧具１１が設けられ、蓋との間に収容空間２８が形成され、収容空間において、接続段２１が上に延び、接続段の側面に隔離部２１１が設けられる台座２０とを備える。さらに、台座に挿通され、隔離部と同じ側に第１接点２２１が設けられる第１ピン２２と、台座に挿通され、接続段から第１接点２２１の上方に位置する第２接点２３１が延び、隔離部の鉛直的位置が第１接点と第２接点との間に位置する第２ピン２３とを設ける。また、台座に挿通され、収容空間に固定部が設けられ、固定部には、押圧具に押圧される電気接続具２５が接続され、押圧具の上下動により、電気接続具は、第１接点または第２接点と接続し、電気接続具が第１接点または第２接点と接続するときに、隔離部により、接続段に形成される導電層が隔離される第３ピン２４と、を含む。【選択図】図２
0003168402.tif 000002
【実用新案登録請求の範囲】
【請求項１】
蓋（１０）が設けられ、前記蓋（１０）に上下動可能な押圧具（１１）が設けられ、前記蓋（１０）との間に収容空間（２８）が形成され、前記収容空間（２８）において、接続段（２１）が上に延び、前記接続段（２１）の側面に隔離部（２１１）が設けられる台座（２０）と、
前記台座（２０）に挿通され、前記隔離部（２１１）と同じ側に第１接点（２２１）が設けられる第１ピン（２２）と、
前記台座（２０）に挿通され、前記接続段（２１）から前記第１接点（２２１）の上方に位置する第２接点（２３１）が延び、前記隔離部（２１１）が前記第１接点（２２１）と前記第２接点（２３１）との間に位置する第２ピン（２３）と、
前記台座（２０）に挿通され、前記収容空間（２８）に固定部（２４１）が設けられ、前記固定部（２４１）には、前記押圧具（１１）に押圧される電気接続具（２５）が接続され、前記押圧具（１１）の上下動により、前記電気接続具（２５）が、前記第１接点（２２１）または前記第２接点（２３１）と接続し、前記電気接続具（２５）が前記第１接点（２２１）または前記第２接点（２３１）と接続するときに、前記隔離部（２１１）により、前記接続段（２１）に形成される導電層（２７）が隔離される第３ピン（２４）と、
を含むことを特徴とするマイクロスイッチ。
【請求項２】
前記隔離部（２１１）は前記接続段（２１）から延びる突起であることを特徴とする、請求項１に記載のマイクロスイッチ。
【請求項３】
前記隔離部（２１１）と前記第１接点（２２１）との間に隙間（２６）が存在することを特徴とする、請求項１に記載のマイクロスイッチ。
【請求項４】
前記隔離部（２１１）は前記第１接点（２２１）の方向へ傾斜することを特徴とする、請求項１に記載のマイクロスイッチ。
【請求項５】
前記隔離部（２１１）は前記第２接点（２３１）の方向へ傾斜することを特徴とする、請求項１に記載のマイクロスイッチ。
【請求項６】
前記隔離部（２１１）は前記接続段（２１）と垂直することを特徴とする、請求項１に記載のマイクロスイッチ。
【請求項７】
前記電気接続具（２５）には、前記第１接点（２２１）と電気的に接続する下接触ブロック（２５２）と、前記第２接点（２３１）と電気的に接続する上接触ブロック（２５１）と、が設けられることを特徴とする、請求項１に記載のマイクロスイッチ。
【考案の詳細な説明】
【技術分野】
【０００１】
本考案は、耐電圧特性を向上できるマイクロスイッチに関し、特に、電気的な開閉作動によるカーボン堆積物を隔離できるマイクロスイッチに関するものである。
【背景技術】
【０００２】
科学技術の進展により、各種類の電子装置（例えばマウス）の体積が小型化し、このように小型化された電子装置の電子部品は、更に微小化されることとなる。なお、電子装置の信号を形成する電子部品の多くはスイッチである。
【０００３】
従来のマイクロスイッチの構造は、例えば特許文献１の台湾第Ｍ３５００８７号、特許文献２の台湾第５０７９２１号及び特許文献３の台湾第２８９４８５号などが提案された。特許文献１の台湾第Ｍ３５００８７号のマイクロスイッチは、ケース、共用端子、常時閉端子、常時開端子、自在接触片、引張バネ、ボタン及び押圧ピンを含む。前記押圧ピンにダブテイル部が設けられることにより、前記ケースの前記押圧ピンに対して力が加えられる面積が増加し、前記ケースの破裂を回避できる。一方、前記引張バネにより前記自在接触片が受ける力の状況を適切に制御でき、前記自在接触片の稼動性能および信頼度が更に向上する。
【０００４】
特許文献２の台湾第５０７９２１号のマイクロスイッチは、上本体、下本体、電気接続点、固定接触面及び作動具を含み、前記電気接続点と前記固定接触面とが前記下本体の上部に設けられ、前記作動具は、その固定端が前記固定接触面に定位され、その自在端に接触ブロックが設けられ、押圧具を押圧する場合には、前記押圧具の底部が前記作動具を押圧して、前記作動具の前記自在端が動いて前記接触ブロックが前記電気接続点と接触し、これにより、このマイクロスイッチをオン/オフすることができる。
【０００５】
また、特許文献３の台湾第２８９４８５号のマイクロスイッチは、カバーに動止リブが設けられ、前記動止リブによりマイクロスイッチの押圧ストロークを制御することができ、寿命を増加できる。
【０００６】
上記のマイクロスイッチは、達成できる目的および効果が異なるが、その技術特徴が共通である。図１を参照する。図１に示したマイクロスイッチは、上記のマイクロスイッチとよく類似し、すなわち、台座３０を有し、台座３０には、共通端子３１、常時閉端子３３及び常時開端子３２が設けられ、共通端子３１に導電片状バネ３４が接続され、導電片状バネ３４は、常時に常時閉端子３３と接触し、押圧されると常時開端子３２と接触する。これにより、マイクロスイッチをオン/オフすることができる。
【０００７】
しかし、このようなマイクロスイッチを電子装置に取付けて利用する場合には、導電片状バネ３４が上下動して常時閉端子３３又は常時開端子３２と接触し、放電により発生したアークが接点を溶融するためカーボン堆積物が発生し、更に、カーボン堆積物が周囲に噴出する。カーボン堆積物には金属粉末が含まれるため、長期間、マイクロスイッチが利用されると、カーボン堆積物の堆積により導電層３５が形成され、常時閉端子３３と常時開端子３２が電気的に接続するようになる。安全規格によって高電圧テストを行うときには、常時閉端子３３と常時開端子３２とが導通され、そうすると、このようなマイクロスイッチは高電流の安全規格に認定されない。
【先行技術文献】
【特許文献】
【０００８】
【特許文献１】台湾特許第Ｍ３５００８７号公報
【特許文献２】台湾特許第５０７９２１号公報
【特許文献３】台湾特許第２８９４８５号公報
【考案の概要】
【考案が解決しようとする課題】
【０００９】
本考案の主な目的は、マイクロスイッチ内の各端子の絶縁を確保でき、各端子の電気的導通を防止できるマイクロスイッチを提供することにある。
【課題を解決するための手段】
【００１０】
本考案のマイクロスイッチによると、蓋１０が設けられ、前記蓋１０に上下動可能な押圧具１１が設けられ、前記蓋１０との間に収容空間２８が形成され、前記収容空間２８において、接続段２１が上に延び、前記接続段２１の側面に隔離部２１１が設けられる台座２０と、
前記台座２０に挿通され、前記隔離部２１１と同じ側に第１接点２２１が設けられる第１ピン２２と、
前記台座２０に挿通され、前記接続段２１から前記第１接点２２１の上方に位置する第２接点２３１が延び、前記隔離部２１１の鉛直的位置が前記第１接点２２１と前記第２接点２３１との間に位置する第２ピン２３と、
前記台座２０に挿通され、前記収容空間２８に固定部２４１が設けられ、前記固定部２４１には、前記押圧具１１に押圧される電気接続具２５が接続され、前記押圧具１１の上下動により、前記電気接続具２５が、前記第１接点２２１または前記第２接点２３１と接続し、前記電気接続具２５が前記第１接点２２１または前記第２接点２３１と接続するときに、前記隔離部２１１により、前記接続段２１に形成される導電層２７が隔離される第３ピン２４と、
を含むことを特徴とする。
【００１１】
本考案のマイクロスイッチによると、前記隔離部２１１は前記接続段２１から延びる突起であることを特徴とする。
【００１２】
本考案のマイクロスイッチによると、前記隔離部２１１と前記第１接点２２１との間に隙間２６が存在することを特徴とする。
【００１３】
本考案のマイクロスイッチによると、前記隔離部２１１は前記第１接点２２１の方向へ傾斜することを特徴とする。
【００１４】
本考案のマイクロスイッチによると、前記隔離部２１１は前記第２接点２３１の方向へ傾斜することを特徴とする。
【００１５】
本考案のマイクロスイッチによると、前記隔離部２１１は前記接続段２１と垂直することを特徴とする。
【００１６】
本考案のマイクロスイッチによると、前記電気接続具２５には、前記第１接点２２１と電気的に接続する下接触ブロック２５２と、前記第２接点２３１と電気的に接続する上接触ブロック２５１と、が設けられることを特徴とする。
【考案の効果】
【００１７】
本考案のマイクロスイッチによれば、マイクロスイッチ内の各端子の絶縁を確保でき、各端子の電気的導通を防止でき、耐高電圧テストをパスすることができ、製品の良品率および安定性を増加でき、信号出力の正確性を増加できるという効果を有する。
【図面の簡単な説明】
【００１８】
【図１】従来のマイクロスイッチの模式図である。
【図２】本考案の一実施例の構造を示す分解斜視図である。
【図３】本考案の一実施例の組合済み状態の断面図である。
【図４】本考案の別の実施例の組合済み状態の断面図である。
【図５】本考案の更に別の実施例の組合済み状態の断面図である。
【考案を実施するための形態】
【００１９】
以下、本考案の実施の形態を図面に基づいて説明する。
まず、図２及び図３を参照する。図２は本考案の一実施例の構造を示す分解斜視図であり、図３は本考案の一実施例の組合済み状態の断面図である。本考案の第１実施例のマイクロスイッチは、台座２０と、台座２０を被覆する蓋１０とを含み、台座２０と蓋１０の間に収容空間２８が形成され、収容空間２８において、台座２０に上に延びる接続段２１が設けられ、接続段２１の側面に隔離部２１１が設けられる。隔離部２１１は、例えば突起である。台座２０には、第１ピン２２、第２ピン２３及び第３ピン２４が挿通される。第１ピン２２、第２ピン２３及び第３ピン２４により、マイクロスイッチが電子装置（例えば回路板）と電気的に接続する。第１ピン２２は、台座２０に挿通され、隔離部２１１と同じ側に第１接点２２１が設けられる。第２ピン２３は、台座２０に挿通され、接続段２１から第１接点２２１の上方に位置する第２接点２３１が延び、隔離部２１１の鉛直的位置が第１接点２２１と第２接点２３１との間に位置する。第３ピン２４は、台座２０に挿通され、収容空間２８に固定部２４１が設けられ、固定部２４１に電気接続具２５が接続される。電気接続具２５は、導電片状バネであり、一端が固定部２４１に固定され、他端には、第１接点２２１に対応する下接触ブロック２５２と、第２接点２３１に対応する上接触ブロック２５１と、が設けられる。
【００２０】
蓋１０には、上下動可能な押圧具１１が設けられる。押圧具１１は電気接続具２５を押圧するためのものである。電気接続具２５が押圧されると、下接触ブロック２５２が第１接点２２１と電気的に接続し、或いは上接触ブロック２５１が第２接点２３１と電気的に接続する。これにより、第３ピン２４は第１ピン２２又は第２ピン２３と電気的に接続する。隔離部２１１は、接続段２１から突出し、第１接点２２１と第２接点２３１との間に位置することにより、電気接続具２５の第１接点２２１及び第２接点２３１と接触するときに、放電によるカーボン堆積物によって接続段２１に形成される導電層２７を隔離できるため、第１接点２２１と第２接点２３１との絶縁を確保できる。そして隔離部２１１と第１接点２２１との間に隙間２６が存在するため、隔離部２１１と第１接点２２１との短絡を防止できる。
【００２１】
本考案の実施の態様では、隔離部２１１と接続段２１との角度が制限されない。隔離部２１１は、上方に傾斜しても良いし、下方に傾斜しても良く、更に水平にしても良い。隔離部２１１は、図３に示すように、第１接点２２１の方向へ傾斜し、これにより、カーボン堆積物の接続段２１の下面への付着を防止でき、第１接点２２１に近接するカーボン堆積物を隔離できる。或いは、図４は本考案の別の実施例の組合済み状態の断面図であるが、図４に示すように、隔離部２１１が接続段２１と垂直するように接続段２１に設けられ、隔離部２１１によりカーボン堆積物が上下に隔離される。或いは、図５は本考案の更に別の実施例の組合済み状態の断面図であるが、図５に示すように、隔離部２１１が第２接点２３１の方向へ傾斜し、これにより、カーボン堆積物の接続段２１の上面への付着を防止でき、第２接点２３１に近接するカーボン堆積物を隔離できる。
【００２２】
上記の説明から明らかなように、本考案のマイクロスイッチは、第１接点２２１と第２接点２３１との間にある接続段２１に隔離部２１１を設け、隔離部２１１が電気接続具２５の第１接点２２１及び第２接点２３１と接触する側に位置する。これにより、電気接続具２５が第１接点２２１及び第２接点２３１と接触するときには、放電によって形成されるカーボン堆積物が隔離部２１１に隔離され、カーボン堆積物による導電層２７が形成し難い。そうすると、第１接点２２１と第２接点２３１との絶縁を確保できる。
【００２３】
本考案の最良の実施の形態について説明したが、当業者には明らかなように、本考案の精神を逸脱しない範囲で実施の形態を変形することが可能であり、そのような実施の形態は本考案の範囲に属するものである。
【産業上の利用可能性】
【００２４】
本考案は、マイクロスイッチに適用することができる。
【符号の説明】
【００２５】
１０    蓋
１１    押圧具
２０    台座
２１    接続段
２２    第１ピン
２３    第２ピン
２４    第３ピン
２５    電気接続具
２６    隙間
２７    導電層
２８    収容空間
３０    台座
３１    共用端子
３２    常時開端子
３３    常時閉端子
３４    導電片状バネ
３５    導電層
２１１  隔離部
２２１  第１接点
２３１  第２接点
２４１  固定部
２５１  上接触ブロック
２５２  下接触ブロック
【図１】
0003168402.tif 000003
【図２】
0003168402.tif 000004
【図３】
0003168402.tif 000005
【図４】
0003168402.tif 000006
【図５】
0003168402.tif 000007